(57)【要約】      （修正有）【課題】監視員通路に埋込設置された消火栓収納箱の筐体内に対するホースの巻き戻し作業や点検作業を容易に行えるようにする。【解決手段】消火栓収納箱は、トンネル壁面に沿った監視員通路に埋込み設置され、筐体３１内にノズル付きのホースが収納されている。点検扉１００は筐体３１の前面に固定されており、ホース巻き戻しの際には、点検扉１００の固定を解除すると、点検扉１００は下側のヒンジ１０２を回動軸として上側が所定の傾斜角に前開きされる。点検扉１００を前開きさせた場合、点検扉１００と筐体３１を連結しているチェーン１０４により点検扉１００は所定の傾斜角に前開きされる。【選択図】図１０
2018082762.tif 000002
【特許請求の範囲】
【請求項１】
トンネル壁面に沿った監視員通路に埋込み設置され、筐体内にノズル付きのホースが収納された消火栓収納箱に於いて、
前記筐体の前面に固定され、前記固定が解除された場合に下側を回動軸として上側が所定の傾斜角に前開きされる点検扉が設けられたことを特徴とする消火栓収納箱。
【請求項２】
請求項１記載の消火栓収納箱に於いて、前記点検扉と前記筐体の間が、前記点検扉を前開きさせた場合に前記所定の傾斜角に保持させる可撓性の紐部材で連結されたことを特徴とする消火栓収納箱。
【請求項３】
請求項１記載の消火栓収納箱に於いて、前記点検扉に形成された前面扉開口に、閉鎖位置から開放位置にスライド落下して開放すると共に前記開放位置から前記閉鎖位置にスライド上昇して閉鎖される前扉が設けられたことを特徴とする消火栓収納箱。
【請求項４】
請求項１記載の消火栓収納箱に於いて、更に、
前記監視員通路面側となる前記筐体の上面に形成された上面扉開口に、前記筐体の前縁コーナー部を軸として後開き自在に軸支された第１上扉と、
前記第１上扉に形成された扉開口に、扉後縁部を軸として前開き自在に軸支された第２上扉と、
が設けられたことを特徴とする消火栓収納箱。
【発明の詳細な説明】
【技術分野】
【０００１】
本発明は、ノズル付きホースを引き出して消火用水又は消火泡を放出させる消火栓収納箱に関する。
【背景技術】
【０００２】
従来、高速道路や自動車専用道などのトンネルには、トンネル内で発生する火災事故から人身及び車両を守るため、非常用設備が設置されている。
【０００３】
このような非常用設備としては、火災の監視と通報のため火災検知器、手動通報装置、非常電話が設けられ、また火災の消火や延焼防止のために消火栓装置が設けられ、更にトンネル躯体を火災から防護するために水噴霧ヘッドから消火用水を散水させる水噴霧設備などが設置され、非常用設備の設備機器を監視センターに設けられた防災受信盤からの伝送回線に接続して監視制御している。
【０００４】
例えば消火栓装置は、トンネル内に設けた監視員通路に面した側壁に沿って５０メートル間隔で設置され、開放自在な消火栓扉を備えた筐体に、先端にノズルを装着したホースとバルブ類を収納している。
【０００５】
また、水噴霧設備にあっては、消火栓装置と一体又は近傍の側壁に自動弁装置が設置され、トンネル上部に配置された複数の水噴霧ヘッドに自動弁装置から立ち上げた給水配管を接続している。
【先行技術文献】
【特許文献】
【０００６】
【特許文献１】特開２０１４−８３３４４号公報
【特許文献２】特開２００６−１８１０５７号公報
【特許文献３】特開２００８−０５５０２４号公報
【特許文献４】特開２００９−２８５１２６号公報
【発明の概要】
【発明が解決しようとする課題】
【０００７】
ところで、従来の水噴霧設備に設けられた自動弁装置にあっては、定期点検等の際に、筐体内に収納している自動弁を点検するため、筐体開口部に点検扉を着脱自在に設けている。自動弁の点検扉は、例えば厚さ数ミリメートル程度の鋼板を点検扉とし、筐体開口部の上部から点検扉を吊り下げ、点検扉の下側はゴムストッパーにより位置決めし、点検扉の重量で閉鎖状態に保持させている。
【０００８】
これに対し消火栓装置は、筐体開口部の下側に下開きする消火栓扉が設けられると共に筐体開口部の上側に上開きする保守扉が設けられており、点検の際には、消火栓扉と保守扉を開いて筐体内の機器の点検が可能であり、自動弁装置のように重量で閉鎖状態を保持させるような点検扉は必要としていない。
【０００９】
ところで、シールド工法等により作られた都市型トンネルにあっては、トンネル壁面に消火栓装置を埋込み設置できない構造であり、監視員通路側面（壁面）に消火栓装置を埋込み設置する必要がある。
【００１０】
しかしながら、従来の消火栓のように扉を前開きする消火栓装置を監視員通路に設置した場合には、消火栓扉が開くと建築限界を超えて道路側に飛び出す問題がある。
【００１１】
この問題を解決するため、本願出願人は、監視員通路内に消火栓収納箱を埋込み設置し、道路側に面してスライド開閉される前扉を設けると共に、監視員通路面に上向きに開閉される上扉を設けた構造の消火栓収納箱の検討を進めている。
【００１２】
このように監視員通路に埋込み設置された消火栓収納箱によれば、車両事故による火災の発生時に、利用者は、道路に面した前扉を開くことで、筐体内に内巻きされているノズル付きホースを引き出して消火を行うことができる。また、消火栓装置の前に車両が停止して前扉からの操作ができない場合には、監視員通路の上扉を開くことで、停止車両に妨げられることなく、筐体内に内巻きされているノズル付きホースを引き出して消火を行うことができる。更に、消火作業が終了した場合には、ホースの水抜きを行った後に、筐体内にホースを内巻き状態に巻き戻す作業を行っている。
【００１３】
ところで、消火作業の終了に伴いホースを筐体内に巻き戻す場合、開放されている前扉又は上扉の開口から手を入れ、ホースを筐体内に内巻きする作業を行うことになるが、前扉又は上扉の開口はホース巻き戻し作業を行うには狭く、ホースの巻き戻し作業が行いづらい問題がある。また、定期点検の際には、筐体内に収納されたホースの状態を前扉又は上扉を開いて確認することになるが、開口が狭いためにホースの点検作業が行いづらい問題がある。
【００１４】
前扉開口からホースを筐体内に巻き戻す場合、前扉以外の前面パネルが邪魔となり、筐体内の底部に存在するホース接続口が見えづらいこと、巻き戻す作業のために前扉開口から頭と肩を差し入れる必要があることから、前扉開口に頭と肩を差し入れながらホースを巻き戻すこととなり、苦しい体勢を維持し続けなければならないことから、大きな労苦を伴うこととなる。
【００１５】
そこで、監視員通路に埋込設置された消火栓収納箱についても、ホースの巻き戻し作業や点検作業のために、消火栓収納箱の筐体前面に点検用の開口部を形成し、開口部に従来の消火栓装置と同様に、前面パネルを兼ねるような点検扉を設けることが考えられる。
【００１６】
しかしながら、このような従来の点検扉にあっては、強度を十分に持った板金等で形成するため扉重量が例えば５０キログラムと重くなり、ホース巻き戻しや点検の際に点検扉を取り外す作業及び巻戻し後や点検後に点検扉を取付ける作業が大変であり、十分に注意をしないと事故を起こす危険があった。
【００１７】
本発明は、監視員通路に埋込み設置された筐体内に対するホースの巻き戻し作業や点検作業が容易に行える消火栓収納箱を提供することを目的とする。
【課題を解決するための手段】
【００１８】
（消火栓収納箱）
本発明は、トンネル壁面に沿った監視員通路に埋込み設置され、筐体内にノズル付きのホースが収納された消火栓収納箱に於いて、
筐体の前面に固定され、固定が解除された場合に下側を回動軸として上側が所定の傾斜角に前開きされる点検扉が設けられたことを特徴とする。
【００１９】
（点検扉の開放傾斜角の保持）
点検扉と筐体の間が、点検扉を前開きさせた場合に所定の傾斜角に保持させる可撓性の紐部材で連結される。
【００２０】
（前扉の構造）
点検扉に形成された前面扉開口に、閉鎖位置から開放位置にスライド落下して開放すると共に開放位置から閉鎖位置にスライド上昇して閉鎖される前扉が設けられる。
【００２１】
（上扉の構造）
更に、監視員通路面側となる筐体の上面に形成された上面扉開口に、筐体の前縁コーナー部を軸として後開き自在に軸支された第１上扉と、
第１上扉に形成された扉開口に、扉後縁部を軸として前開き自在に軸支された第２上扉と、
が設けられる。
【発明の効果】
【００２２】
（基本的な効果）
本発明は、トンネル壁面に沿った監視員通路に埋込み設置され、筐体内にノズル付きのホースが収納された消火栓収納箱に於いて、筐体の前面に固定され、固定が解除された場合に下側を回動軸として上側が所定の傾斜角に前開きされる点検扉が設けられたため、点検扉を開く場合には、まず、点検扉を固定しているボルト等を取り外すことになるが、ボルトを取り外しても、点検扉は下側が筐体に軸支されているため、点検扉を手で支えていなくとも、筐体の開口部から脱落することがなく、点検扉の上側を前に開くことで、点検扉の上側に十分な大きさの開口が形成され、筐体内にホースを内巻き状態に収納するホース巻き戻し作業や筐体内に収納されているホースの点検作業を簡単且つ安全に行うことが可能となる。
【００２３】
また、従来の点検扉を固定する方法と比べて、点検扉が開口することにより筐体内部が見えやすくなり、接続口を探しやすくなることや、ホースを巻き戻す際に押し付けるべき筐体内部の構造を把握しやすくなる。また、点検扉の開口部から手を入れることが出来るので、筐体内部の底部まで手が届くようになる。上記特徴により、頭と肩を開口部に差し入れながらの作業が不要・削減されるため、点検作業を楽に行うことができるようになる。
【００２４】
また、ホース巻き戻し作業やホースの点検作業が済んだ場合には、前開きしている点検扉を閉じてボルト締め等により筐体に固定すれば良く、点検扉を閉鎖する作業も、簡単且つ安全に行うことを可能とする。
【００２５】
（点検扉の開放傾斜角の保持による効果）
また、点検扉と筐体の間が、点検扉を前開きさせた場合に所定の傾斜角に保持させる可撓性の紐部材で連結されたため、可撓性の紐部材として例えばチェーンを使用し、チェーンの長さを決めることで、点検扉を前開きした場合の傾斜角を例えは３０°といった所定角度に保持し、ホースの巻き戻し作業やホースの点検作業を簡単且つ安全に行うことを可能とする。
【００２６】
（前扉の構造による効果）
また、点検扉に形成された前面扉開口に、閉鎖位置から開放位置にスライド落下して開放すると共に開放位置から閉鎖位置にスライド上昇して閉鎖される前扉が設けられているため、点検扉を開くことで、点検扉と一体に設けられている扉の点検作業を簡単且つ安全に行うことを可能とする。
【００２７】
（上扉の構造による効果）
更に、監視員通路面側となる筐体の上面に形成された上面扉開口に、筐体の前縁コーナー部を軸として後開き自在に軸支された第１上扉と、第１上扉に形成された扉開口に、扉後縁部を軸として前開き自在に軸支された第２上扉とが設けられたため、利用者は道路側から前開きハンドルを操作することで、道路に面した前扉をスライド落下して開放させると共に上扉を奥行方向に開く前開きとすることで、消火栓収納箱の前面扉開口及び第２上面扉開口が開口され、ホース収納部から簡単且つ容易にノズル付きホースを引き出して消火を行うことができる。
【００２８】
また、消火栓装置の前に車両が停止して利用者が道路側からの操作ができない場合には、利用者は通路に登り、かがみこんで後開きハンドルの操作により第１上扉を道路側に開く後開き操作を行うことで第１上部扉開口が開放され、停止車両に妨げられることなく、ホース収納部から簡単且つ容易にノズル付きホースを引き出して消火を行うことができる。
【図面の簡単な説明】
【００２９】
【図１】自動車専用道路のトンネル内に設置された消火栓設備を含むトンネル非常用設備を示した説明図
【図２】通常時における消火栓収納箱の外観を示した説明図
【図３】図２の消火栓収納箱の外観を正面及び平面から示した説明図
【図４】図２の消火栓収納箱の外観を側面から示した説明図
【図５】前開き機構が設けられた消火栓収納箱の前開きハンドルの部分を取り出して示した説明図
【図６】第２上扉を前開きして前扉の落下によりスライド開放させる前開き機構の機構構造を示した説明図
【図７】道路側から操作する場合の前扉と第２上扉の開放操作を示した説明図
【図８】監視員通路側から操作する場合の第１上扉の開放操作を示した説明図
【図９】消火栓収納箱の内部構造を示した説明図
【図１０】点検扉を上開きした状態を示した説明図
【図１１】点検扉を上開きした状態を示した側面図
【発明を実施するための形態】
【００３０】
［トンネル非常用設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００３１】
床版１８で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００３２】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００３３】
トンネル１０の長手方向の５０メートルおきには、消火栓設備１６が設置され、消火栓設備１６はホースが収納された消火栓収納箱３０と放水制御機構収納部２６に分離して設置されている。
【００３４】
消火栓収納箱３０は、監視員通路１４の路面及び道路１５側の壁面にかけて箱形に刳り貫かれた消火栓埋込部に配置されている。放水制御機構収納部２６は、消火栓収納箱３０の下側となる管理用通路２０に配置され、給水本管２４から分岐した分岐管が引き込まれ、また、消火栓収納箱３０に消火用水を供給する給水配管２５が立ち上げられている。
【００３５】
［消火栓設備］
図２は通常時における消火栓収納箱の外観を示した説明図、図３は図２の消火栓収納箱の外観を正面及び平面から示した説明図、図４は図２の消火栓収納箱の外観を側面から示した説明図である。
【００３６】
（消火栓収納箱の外観構造）
図２乃至図４に示すように、消火栓設備１６の消火栓収納箱３０は、監視員通路１４の路面下の内部空間に埋込み設置されている。消火栓収納箱３０は、筐体３１の前面に点検扉１００をボルト１０６により固定しており、点検扉１００の前面中央の上側に形成された前面扉開口３３に前扉３２が上下方向にスライド自在に配置されている。
【００３７】
また、消火栓収納箱３０の監視員通路１４の路面側となる上面中央に形成された第１上面扉開口３５には、前扉３２と同じ横幅の第１上扉３４が配置されている。更に、第１上扉３４の前側中央には第２上面扉開口３７が形成され、ここに第２上扉３６が配置されている。
【００３８】
第１上扉３４は扉前縁の両側を、筐体３１の上部の前縁コーナー部に配置した円弧状のヒンジ４６により軸支されており、図４の第１上扉３４ａに示すように、ヒンジ４６の回動により上向きに開放させる後ろ開きができるようにしている。
【００３９】
第２上扉３６は扉後縁を第１上扉３４の第２上面扉開口３７にヒンジ４２により軸支されており、図４の第２上扉３６ａに示すように、ヒンジ４２を中心に上向きに開放させる前開きができるようにしている。
【００４０】
第２上扉３６の前縁にはヒンジ４４により前開きハンドル３８が軸支されており、前開きハンドル３８のハンドル本体に設けられた前開き機構により、第２上扉３６の閉鎖状態で、前扉３２が図示の閉鎖状態に係止されており、利用者が道路１５側から操作する場合には、前開きハンドル３８を開操作すると、第２上扉３６に対する前扉３２の係止が解除され、前扉３２は自重により筐体３１の裏側に落下して前面扉開口３３を開放させ、また、第１上扉３６を前開きすることで、消火栓収納箱３０の第２上面扉開口３７を開放させる。
【００４１】
ここで、第１上扉３４を筐体３１の前縁コーナー部に回動自在に軸支させるヒンジ４６と、第２上扉３６の前縁に前開きハンドル３８を軸支させるヒンジ４４は、両者の軸心線が同軸となるように配置されており、筐体３１及び前扉３２を閉鎖位置に係止している前開きハンドル３８を固定側として、ヒンジ４４，４６により第２上扉３６と共に第１上扉３４を後開き自在に軸支している。
【００４２】
消火栓収納箱３０の前面左上部には通報装置パネル４８が設けられる。通報装置パネル４８には、赤色表示灯５０及び発信機５２、応答ランプ５４及び電話ジャック５５が設けられている。赤色表示灯５０は常時点灯し、消火栓設備の設置場所が遠方から分かるようにしている。火災時には、発信機５２を押して押し釦スイッチをオンすると、発信信号が監視室の監視センター等に設置された防災受信盤に送信されて火災警報が出され、これに伴い応答信号が防災受信盤から送られて、応答ランプ５４が点灯され、更に、赤色表示灯５０が点滅される。
【００４３】
［前開き機構］
図５は前開き機構が設けられた消火栓収納箱の前開きハンドルの部分を取り出して示した説明図であり、図５（Ａ）は正面を示し、図５（Ｂ）は図５（Ａ）のＸ−Ｘから見た側面を示す。図６は第２上扉を前開きして前扉の落下によりスライド開放させる前開き機構の機構構造を示した説明図であり、図６（Ａ）は閉鎖状態を示し、図６（Ｂ）は前開きハンドルを開操作した状態を示す。
【００４４】
図５に示すように、消火栓収納箱３０の上面に配置された第２上扉３６の先端にヒンジ４４で軸支された前開きハンドル３８のハンドル本体８３ａの両側には、前開き機構の軸部材５６が取り出されおり、第２上扉３６の閉鎖状態で軸部材５６の先端は、前扉３２の裏側に配置された軸受部材５８の軸穴に挿入されており、これにより第２上扉３６に前扉３２が係止され、閉鎖位置に保持されている。
【００４５】
軸部材５６は前開きハンドル３８をリフトアップすると、内側に引き込まれ、軸受部材５８の軸穴から抜けることで、前扉３２の係止が解除され、前扉３２は自重によりスライドしながら落下して前面扉開口３３を開放させる。
【００４６】
図６（Ａ）に示すように、前開き機構６０は、ハンドル本体３８ａ内に、一対の屈曲したリンク６２の一端が移動支点６４で連結され、リンク６２の屈曲位置が回動支点６６としてハンドル本体３８ａ側に固定され、リンク６２の他端はスライド支点７０として、軸部材５６の軸端の支点６８に連結されており、更に、移動支点６４はスプリング７２により図示で上方向に付勢されている。
【００４７】
前開きハンドル３８を操作していない場合、スプリング７２の力を受けて、リンク６２は外側に回動することで、軸部材５６を軸受部材５８の軸穴５８ａに嵌め入れ、２上扉３６に前扉３２を係止させている。
【００４８】
前開きンドル３８をリフトアップすると、図６（Ｂ）に示すように、図示しないリンク機構を介して移動支点６４がスプリング７２に抗して下側に移動し、これによりリンク６２は内側に回動し、軸部材５６を内側に引き込むことで、軸受部材５８の軸穴５８ａから軸部材５６の先端を引き外し、前扉３２の係止が解除され、前扉３２は自重によりスライドしながら落下して前面扉開口３３を開放させる。
【００４９】
なお、前開き機構６０は図６のリンク機構に限定されず、前開きハンドル３２のリフトアップにより軸部材５６を内側に引き込んで軸受部材５８の軸穴５８ａから引き外す適宜のリンク機構が含まれる。
【００５０】
［道路側から第２上扉及び前扉を開放させる操作］
図７は道路側から操作する場合の前扉と第２上扉の開放操作を示した説明図である。
【００５１】
図７に示すように、利用者が道路側から消火栓収納箱３０を操作する場合には、前開きハンドル３８をリフトアップすると、前扉３２の係止が解除され、前扉３２は自重によりスライド落下し、前面扉開口３３が開放される。
【００５２】
続いて、利用者が第２上扉３６を奥行方向に開く前開き操作を行うと、図６（Ａ）（Ｂ）に示したように、ハンドル本体３８ａの両側に配置されている軸部材５６が前扉３２の裏面の軸受部材５８から抜き出され、第２上扉３６はヒンジ４２を中心に前開きされ、第２上面扉開口３７が開放され、第２上扉３６の裏側に配置されているノズルホルダーからノズルを取り出してホースを引き出し、第２上扉３６の裏面等に配置された消火栓弁開閉レバー（図示せず）を操作することでノズルからの放水により消火作業を行う。
【００５３】
なお、第２上扉３６の裏面等に配置された消火栓弁開閉レバーは手動パイロット弁を開閉操作させるようにしており、消火栓弁開閉レバーを開操作すると、手動パイロット弁が開放され、図１に示した放水制御機構収納部２６に分離配置された消火栓弁を遠隔的に開放され、ノズルから放水させることができる。
【００５４】
一方、消火作業が終了した場合には、係員が引き出したホースの水抜きを行った後に、前面扉開口３３及び第２上面扉開口３７から筐体３１内にホースを巻き戻して水平回りに内巻きし、最終的に、第２上扉３６を閉鎖した状態で、開放している前扉３２を引上げ、第２上扉３６の前開き操作ハンドル３８のハンドル本体３８ａに係止させ、前扉３２を閉鎖状態に保持させる。
【００５５】
［監視員通路から第１上扉を開閉させる操作］
図８は監視員通路側から操作する場合の第１上扉の開放操作を示した説明図である。
【００５６】
図８に示すように、利用者が監視員通路側から消火栓収納箱３０を操作する場合には、利用者が監視員通路から体をかがめて後開きハンドル４０をリフトアップすると、第１上扉３４の後縁側の筐体３１側に対する係止が解除され、前縁コーナー部のヒンジ４６を中心に、第１上扉３４は後開きされ、第１上面扉開口３５が開放される。
【００５７】
このとき第１上扉３４と一体に第２上扉３４もヒンジ４４を中心に後開きされ、ヒンジ４４で軸支された前開きハンドル３８は動くことがなく、前開きハンドル３８に設けられた図６に示した前開き機構６０の軸部材５６の先端は前扉３２の裏面に配置された軸部材５８の軸穴５８ａに嵌め込まれた状態を維持しており、前扉３２の閉鎖状態への係止を保持したまま、第２上扉３６は第１上扉３４と一体に後開きされる。
【００５８】
第１上扉３４の後開きにより第１上面扉開口３５が開放されると、利用者は第２上扉３６の裏側に配置されているノズルホルダーに係止されたノズルを取り出してホースを引き出し、第２上扉３６の裏面等に配置された消火栓弁開閉レバー（図示せず）を操作することで、ノズルからの放水により消火作業を行う。
【００５９】
一方、消火作業が終了した場合には、係員が引き出したホースの水抜きを行った後に、第１上面扉開口３５から筐体３１内にホースを巻き戻して水平回りに内巻きし、最終的に、第１上扉３４を閉鎖させる。
【００６０】
［消火栓収納箱の内部構造］
図９は消火栓収納箱の内部構造を示した説明図であり、図９（Ａ）は正面を示し、図９（Ｂ）は図９（Ａ）のＹ−Ｙ断面から見た側面を示す。
【００６１】
図９に示すように、消火栓収納箱３０における筐体３１の内部下側はホース収納部７４となっており、保形構造のホース７６を水平回りに重ねて内巻きしている。
【００６２】
筐体３１の平面からみた長方形は、横幅は約１．４メートル程度、奥行きは約０．３５メートル程度であることから、ホース収納部７４にホース７６を内巻きした場合、ホース７６の内巻き形状は、２つの平行線と２つの半円からなる角丸長方形となり、平面長方形の筐体３１内に内巻きされたホース７６の１ターンの長さは概ね３．５メートル程度となり、ホース長さは３０メートル以上必要とすることから、ホース７６は９ターン以上重ねて内巻きすればよい。
【００６３】
ここで、筐体３１内に角丸長方形に内巻きされたホース７６を、平行線ホース部分７６ａ，７６ｃ及び半円ホース部分７６ｂ，７６ｄで示している。
【００６４】
筐体３１の中央前面側には、筐体３１内に角丸長方形に内巻きされるホース７６の前面側の平行線部分７６ａを内側に変形させるホースガイド構造８０が設けられる。
【００６５】
ホースガイド構造８０は金属パイプを用いた２本のガイドパイプ８０ａ，８０ｂを底板８１に起立させており、ホース７６をホースガイド構造８０のガイドパイプ８０ａ，８０ｂに沿って内巻きすることで、ホース７６の前面側の平行線ホース部分７６ａが内側に変形されて略ひょうたん形に近い形状となり、この変形によりホース７６の変形された平行線ホース部分７６ａには外側に広がろうとする反発力が発生している。
【００６６】
このようなホースガイド構造８０が設けられたことで、筐体３１内に重ねて内巻きされたホース７６は、角丸長円形の平行線ホース部分７６ａがホースガイド構造８０により内側に変形されることで、外側に広がろうとする反発力が発生し、筐体３１の内壁側に押し付ける力が発生することで、重ねて内巻きしたホース７６の平行線ホース部分７６ａ，７６ｃが長くなっても内側に崩れてしまうことを確実に防止可能とする。
【００６７】
ここで、ホースガイド構造８０はホース７６の前面側の平行線ホース部分７６ａを内側に変形させ、背面側の平行ホース部分７６ｃは内側に変形させていないが、平行線ホース部分７６ａの内側へ変形により、ホース７６全体として外側に広がろうとする力が増加し、内側に変形させていない背面側の平行ホース部分７６ｃについても、内側に崩れてしまうことを確実が防止可能となる。
【００６８】
また、前扉３２及び第２上扉３６又は第１上扉３４を開いてホース７６を外部に引き出す場合には、ホース７６の半径ホース部分７６ｂ，７６ｄの変形によるホースを押し出そうとする力に加え、ホース７６の平行線ホース部分７６ａについても、ホースガイド構造８０による内側への変形でホース７６を押し出そうとする力が発生し、ホース６０の引き出し力を低減可能とする。
【００６９】
ホースガイド構造８０の上部には、図２に示した前面扉開口３３、第１上面扉開口３５及び第２上面扉開口３７の内側を囲むように、ガイドパイプ８２が配置され、ホース７６を外部に引き出す際にガイドパイプ８２に摺接させることで、ホース７６の損耗を防止すると共にホース引き出し力を低減させている。
【００７０】
また、第２上扉３６の裏面にはノズルホルダー８６によりホース７６の先端に連結された泡ノズル７８が着脱自在に係止されている。本実施形態のノズルホルダー８６は、泡ノズル７８を第２上扉３６の裏面に軸支して懸垂状態に吊り下げる懸架構造により係止しており、第１２上扉３６を図４の上扉３６ａに示すように前開きした場合、又は、１上扉３４を第２上扉３６と一体に図４の第１上扉３４ａに示すように後ろ開きした場合にも、第２上扉３６の扉裏面にノズルホルダー８６が泡ノズル７８を懸垂した状態で係止している。
【００７１】
このため第２上扉３６を前開き又は第１上扉３４を第２上扉３６と共に後開きすると、扉裏面に懸垂状態に保持されている泡ノズル７８が消火栓収納箱３０の上部に現れることになる。
【００７２】
第２上扉３６の前開きで扉裏面に保持されている泡ノズル７８が現れる位置は、路面１５から概ね０．９〜１．３メートルの範囲のいずれかとなり、これは路面１５に立った利用者の腰から肩までの範囲に相当し、目の前に泡ノズル７８が出現することから、泡ノズル７８の取出しが容易にできる。
【００７３】
また、第１上扉３４の後開きで扉裏面に保持されている泡ノズル７８が現れる位置は、監視員通路１４の路面から概ね０．２〜０．４メートルの範囲のいずれかとなり、監視員通路１４に体をかがめて後開きハンドル４０を操作している利用者の目の前に泡ノズル７８が出現し、利用者は監視員通路１４側からノズル７８を容易に取り出すことができる。
【００７４】
［点検扉］
図１０は点検扉を上開きした状態を示した説明図、図１１は点検扉を上開きした状態を示した側面図である。
【００７５】
図１０及び図１１に示すように、消火栓収納箱３０における筐体３１の前面にボルトにより固定されている点検扉１００は、ボルトを外して固定状態を解除することで、点検扉１００の下側のヒンジ１０２を回動軸として上側が所定の傾斜角θに前開きされるように構成されている。
【００７６】
点検扉１００を筐体３１の前面にボルトにより固定するため、点検扉１００の両側上側には通し穴１０８が形成され、通し穴１０８に相対する筐体３１のフレームにはねじ穴１１０が形成されている。
【００７７】
また、点検扉１００の両側と筐体３１の両側フレームとの間は、可撓性の紐部材として機能するチェーン１０４で連結されており、チェーン１０４の長さを決めることで、ヒンジ１０２を中心に上側を前開きした場合の点検扉１００の傾斜角θが設定される。
【００７８】
本実施形態では、前開きされる点検扉１００の傾斜角θが例えば３０°となるようにチェーン１０４の長さが決められている。ここで、傾斜角θ＝３０°とした場合、点検扉１００の高さを８０〜９０センチメートルとすると、前開きされた点検扉１００の上端と筐体３１との間の間隔は概ね数十センチメートル程度となり、点検扉１００の前面扉開口３３が前扉３２により閉鎖された状態にあっても、前開きされた点検扉１００の上端と筐体３１との間に数十センチメートルといった十分に広い開口が形成される。
【００７９】
しかしながら、点検扉１００を前開きさせた場合、前扉３２の第２上扉３６に設けた前開きハンドル３８による係止は解除され、図１０に示すように、前開きされた点検扉１００に設けられている前扉３２は開放状態にあり、このため前開きされた点検扉１００と筐体３１との間には、十分に広い開口が形成されている。
【００８０】
図１０及び図１１に示した点検扉１００の開放は、消火作業が終了して水抜きしたホースを筐体３１内に水平回りに巻き戻す作業に先立って行われる。このように点検扉１００が前開きされ、チェーン１０４により所定の傾斜角θに保持された状態で、係員は水抜きしたホース７６を図９に示すように、筐体３１内のホース収納部７４に水平回りに巻き戻す作業を行う。
【００８１】
このとき係員は前開きされた点検扉１００の前に立ち、傾斜して前開きされた点検扉１００の上側から筐体３１内に手を入れてホースの内巻きを行うことができ、図７に示したように、前面扉開口３３及び第２上面扉開口３７から道路側にホースを引き出した場合、又は、図８に示したように、第１上面扉開口３５から監視員通路側にホースを引き出した場合のいずれについても、ホースを筐体３１内に巻き戻す作業を容易に行うことができる。
【００８２】
また、消火栓収納箱３０に収納されているノズル付きホースを点検する場合にも、点検扉１００の固定を解除して図１０及び図１１に示すように、点検扉１００を傾斜した前開き状態とすることで、前開きした点検扉１００と筐体３１との間の開口から目視によりホースの状態を確認する点検作業を容易に行うことができる。
【００８３】
更に、点検扉１００の裏面側には前扉３２が上下方向にスライド開閉自在に設けられており、点検扉１００を傾斜した前開き状態とすることで、前扉３２をスライド開閉させる扉開閉機構の点検も容易に行うことができる。
【００８４】
［本発明の変形例］
（泡消火栓設備）
上記の実施形態は、消火泡を放出させる泡消火栓設備を例にとっているが、これに限定されず、消火用水を放水させる消火栓設備としても良い。
【００８５】
（消火栓収納箱の設置）
また、上記の実施形態は、ホースガイド構造８０ａ、８０ｂは固定構造としているが、底板との接触部にヒンジを設け、前方向に軸回りに回転できるようにしても良い。点検時にホースガイド構造８０ａ、８０ｂを前方向に軸回りに回転し点検扉と接触させることで、点検扉を傾斜させて開口した空間からホース収納部までの阻害要因がなくなる。
【００８６】
これにより、あらかじめまとめたホース束を点検扉及びホースガイド構造８０ａ、８０ｂの上を滑らせてホース収納部に格納する方法を取ることができる。また、ホースを巻き戻す作業を行う際もホースガイド８２の上を通す必要がないので、巻き戻し作業を簡単にできるようになる。このとき傾斜角θは、まとめたホース束を収納できる程度に開口できることが好適である。このため、傾斜角θは底板の奥行をS、底板からホースガイド８２までの高さをLとしたとき、sinθ≧Ｓ／Ｌを満たす程度に開口するよう、チェーン長を設定する。
【００８７】
また、上記の実施形態は、トンネル消火栓を例にとっているが、一般の道路に埋め込まれた消火栓に用いても良い。また、消火栓収納箱を埋め込まずに露出するようにしても良い。露出型の消火栓収納箱に用いる場合、上扉の開閉操作を行い易くし、ノズルを取り出す易くするために上扉が１メートル程度の高さに来るようにすることが好適である。また、例えば高さの異なる２つの通路面や、例えば体育館や舞台などの壇上とその下のような、それぞれ人が歩行可能な高さの異なる面とその面に接する壁面において本願消火栓収納箱を適用しても良い。
【００８８】
（その他）
また、点検扉は前面への傾斜でなく、筐体の前面左端又は右端を軸として回転し、横方向に開くものであっても良い。これにより、正面からの制限がなくホースの収納等を行うことができる。この方式の場合、前扉を傾斜させる方法より、消火栓前の空間を要するが、ホース収納時においてはトンネルの通行が規制状態であるため、実施可能である。
【００８９】
また、点検扉・前扉を中央で分割することにより、両側の軸から開くように構成しても良い。左端又は右端のみを軸として回転させる場合よりも、軸の最下点付近集中する力が減じられ、歪みが生じる可能性を低減させることが出来る。
【００９０】
また本発明は、その目的と利点を損なうことのない適宜の変形を含み、更に、上記の実施形態に示した数値による限定は受けない。
【符号の説明】
【００９１】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２５：給水配管
２６：放水制御機構収納部
３０：消火栓収納箱
３１：筐体
３２：前扉
３３：前面扉開口
３４：第１上扉
３５：第１上面扉開口
３６：第２上扉
３７：第２上面扉開口
３８：前開きハンドル
４０，１０２：前開きハンドル
４２，４４，４６：ヒンジ
４８：通報装置パネル
５６：軸部材
５８：軸受け部材
５８ａ：軸穴
６０：前開き機構
７４：ホース収納部
７６：ホース
７８：泡ノズル
７８ａ：逆テーパ先端部
８０：ホースガイド構造
８０ａ，８０ｂ，８２：ガイドパイプ
８６：ノズルホルダー
１００：点検扉
１０２：ヒンジ
１０４：チェーン
１０６：ボルト
１０８：通し穴
１１０：ねじ穴
【図１】
2018082762.tif 000003
【図２】
2018082762.tif 000004
【図３】
2018082762.tif 000005
【図４】
2018082762.tif 000006
【図５】
2018082762.tif 000007
【図６】
2018082762.tif 000008
【図７】
2018082762.tif 000009
【図８】
2018082762.tif 000010
【図９】
2018082762.tif 000011
【図１０】
2018082762.tif 000012
【図１１】
2018082762.tif 000013